(57)【要約】【課題】乾燥フィルタは樹脂製の枠は乾燥運転中に衣類とこすれることで、表面に静電気が発生し、糸くずが付着してしまい、その糸くずがドラム内の衣類に付着してしまう、乾燥フィルタのお手入れがしにくい問題があった。【解決手段】上記の課題を解決するために乾燥フィルタの枠体を帯電防止効果のある材料で構成することにより、乾燥運転中に糸くずフィルタの枠体に糸くずが付着することを防止し、衣類への糸くず付着防止、乾燥フィルタのお手入れ性を改善することができる。また、汎用樹脂に帯電防止効果を持たせたマスターバッチを混ぜることで、帯電防止効果のある材料を実現できる。【選択図】図１
2017038749.tif 000002
【特許請求の範囲】
【請求項１】
水分を含んだ被乾燥物を収納して回転するドラムと、前記ドラムを駆動する電動機と、このドラム内に送り込む空気を加熱するヒータと、前記ドラム内に前記ヒータで加熱した空気を流入させる送風装置と、前記ヒータと前記送風装置の間に設けられた循環風路と、このドラム内部に設けられた糸くずを捕集する糸くず捕集手段を有する衣類乾燥機において、
前記糸くず捕集手段は、帯電防止効果を有する材料で構成されることを特徴とする衣類乾燥機。
【請求項２】
請求項１の衣類乾燥機において、
前記糸くず捕集手段を構成する帯電防止効果を有する材料は、汎用樹脂と帯電防止効果を有するマスターバッチの混合で構成されることを特徴とする衣類乾燥機。
【請求項３】
請求項１の衣類乾燥機において、
前記糸くず捕集手段は帯電防止効果を有する材料で構成された枠体部と、糸くずを捕集するための網目状部材で構成されることを特徴とする衣類乾燥機。
【請求項４】
請求項２の衣類乾燥機において、
前記マスターバッチの含有率を略１０％とすることを特徴とする衣類乾燥機。
【発明の詳細な説明】
【技術分野】
【０００１】
本発明は、衣類乾燥機に関する。
【背景技術】
【０００２】
従来の衣類乾燥機では、例えば、特開２０１３−２５５５３１号公報（特許文献１）にあるように、乾燥運転時に発生した糸くずを捕集するためにドラム内部に糸くず捕集手段（乾燥フィルタ）を配置している。
【先行技術文献】
【特許文献】
【０００３】
【特許文献１】特開２０１３−２２３５４７号
【発明の概要】
【発明が解決しようとする課題】
【０００４】
特許文献１では、乾燥フィルタの面積確保の点や、構造を簡素化するために衣類乾燥機では乾燥フィルタをドラム内に配置している。しかし、乾燥フィルタは樹脂製の枠と網目状のフィルタで構成されるが、樹脂製の枠は乾燥運転中に衣類とこすれて枠の表面に静電気が発生することで、糸くずが付着し、その糸くずがドラム内の衣類に付着してしまう、という問題があった。また、乾燥フィルタのお手入れがしにくい、手間がかかるといった問題があった。
【課題を解決するための手段】
【０００５】
そこで、上記の課題を解決するために乾燥フィルタの枠体を帯電防止効果のある材料で構成することにより、乾燥運転中に糸くずフィルタの枠体に糸くずが付着することを防止し、衣類への糸くず付着防止、乾燥フィルタのお手入れ性を改善することができる。また、汎用樹脂に帯電防止効果を持たせたマスターバッチを混ぜることで、帯電防止効果のある材料を実現できる。
【発明の効果】
【０００６】
本発明の衣類乾燥機では、乾燥運転中に糸くずフィルタの枠体に糸くずが付着することを防止し、衣類への糸くず付着防止、乾燥フィルタのお手入れ性を改善することができる。
【図面の簡単な説明】
【０００７】
【図１】本実施例に係る衣類乾燥機の構造図
【図２】本実施例に係る乾燥フィルタの構造図
【図３】本実施例に係る乾燥フィルタカバーの構造図
【図４】本実施例に係るフィルタの構造図
【発明を実施するための形態】
【０００８】
以下、本発明を図示の一実施例に基づいて説明する。
【０００９】
図１は衣類乾燥機の全体構成図である。乾燥室を構成する回転ドラム２は外枠１内に回転自在に配置され、回転ドラム２の前面には乾燥用の温風を得るための熱源３が配置される。回転ドラム２は電動機５の回転力をドラム駆動ベルト４で伝えることにより回転する。
回転ドラムの後部には乾燥用空気７を排出するドラム空気出口６が設けられており、その後方には、前記乾燥用空気および、この乾燥用空気を冷却するための冷却空気８を発生させるための送風機の役割を果たし、かつ乾燥用空気７を冷却する熱交換部を兼ねた熱交換ファン９ を収納するファンケーシング１０が配置されている。
【００１０】
そして、このファンケーシング１０は熱交換ファンの外周部につけた同心円形状のリブで構成されるラビリンスシール部１１ａとファンケースフタ１２のラビリンスシール部１１ｂとで乾燥用空気側と冷却空気側とに仕切られている。
ファンケーシング１０の乾燥空気用出口はMダクト１３とＦダクト１４とで熱源３に連通されている。
【００１１】
１５は熱交換ファン駆動用ベルト、１６は熱交換用ファン用プーリー、１７は熱交換ファン支持部材、１８は外枠１の前方に設けられた被乾燥物出し入れ用の開口を開閉するドア、１９は乾燥フィルタで、２０はドラム前部固定壁で、その外周で回転ドラム２を回転自在に固定する。
【００１２】
乾燥フィルタ１９は、ドラム内部に設けられると共に。ドラム空気出口６の下流側に配置され、熱源３から出た乾燥用空気７が乾燥フィルタ７を通ることで、衣類２４から発生した糸くずを捕集する。
【００１３】
熱交換ファン９は熱交換部２１と乾燥用空気の風量を確保するシロッコファン部２２と、乾燥用空気と冷却空気とを仕切るラビリンスシール部１１ａで構成される。熱交換部２１は断面形状が波形状のブレードで構成され、そのブレード面を介して乾燥空気と冷却空気との熱交換を行う。
【００１４】
図２は乾燥フィルタの構成図である。乾燥フィルタ１９は板状のフィルタ２３とそれを押さえる乾燥フィルタカバー２２で構成される。
【００１５】
図３は乾燥フィルタカバー２２の構成図であり、板状のフィルタ２３を押さえつつ、乾燥用の空気を流すために格子形状となっている。このフィルタカバー２２は樹脂製であり、この樹脂を汎用の樹脂と帯電防止効果のあるマスターバッチを混合して射出成型で成型することで、フィルタカバー２２に帯電防止効果を持たせ、糸くずの付着を防止する。
【００１６】
図４はフィルタ２３の構成図であり、糸くずを捕集する網目状のフィルタシート２３ｂとそれを固定するためのフィルタ枠２３ｂで構成される。フィルタ枠２３ｂも樹脂製であり、汎用の樹脂と帯電防止効果のあるマスターバッチを混合して射出成型で成型することで、フィルタ枠２３ｂに帯電防止効果を持たせ、糸くずの付着を防止する。
【００１７】
マスターバッチなどの帯電防止材をフィルタカバー２２に混合することで、表面に発生する静電気の帯電電圧が減る。一方、帯電防止効果は熱を加えてしまうと効果が減る（帯電電圧が上がる）。しかし、マスターバッチをフィルタカバー２２に少なくとも約１０％含有させることで、熱を加えても帯電防止効果が減ることが抑えられる。ここで、上記のマスターバッチの含有率は、フィルタカバーを構成する樹脂とマスターバッチの重量のうち、マスターバッチが占める重量の割合である。
【００１８】
以上本実施例によれば、乾燥フィルタの枠体を帯電防止効果のある材料で構成することにより、乾燥運転中に糸くずフィルタの枠体に糸くずが付着することを防止し、衣類への糸くず付着防止、乾燥フィルタのお手入れ性を改善することができる。また、汎用樹脂に帯電防止効果を持たせたマスターバッチを混ぜることで、帯電防止効果のある材料を実現できる。
【符号の説明】
【００１９】
１外枠
２回転ドラム
３熱源
４ドラム駆動ベルト
５電動機
６ドラム空気出口
７冷却空気
８乾燥空気
９熱交換ファン
１０ファンケーシング
１１ａ熱交換ファン側ラビリンスシール部
１１ｂファンケーシング側ラビリンスシール部
１２ファンケーシングフタ
１３Mダクト
１４Fダクト
１５熱交換ファン駆動用ベルト
１６熱交換用ファン用プーリー
１７熱交換ファン支持部材
１８ドア
１９フィルタ
２０ドラム前部固定壁
２１熱交換部
２２乾燥フィルタカバー
２３フィルタ
２３ａフィルタ枠
２３ｂフィルタシート
２４衣類
【図１】
2017038749.tif 000003
【図２】
2017038749.tif 000004
【図３】
2017038749.tif 000005
【図４】
2017038749.tif 000006